(57)【要約】【課題】絶縁容器への下蓋の取り付けは、絞り成形によって行なうと取り付け強度が弱い。【解決手段】内部に酸化亜鉛素子１５が積層された絶縁容器１４の両端の外周面にはおねじ部１４ａ，１４ｂが形成され、略有底筒形状をなす一対の電極１６，１７には、その内周面にめねじ部１６ａ，１７ａが形成され、おねじ部１４ａ，１４ｂをめねじ部１６ａ，１７ａにねじ込むことにより、絶縁容器１４の両端が電極１６，１７によって閉塞されている。【選択図】　図１
2004140205.tif 000002
【特許請求の範囲】
【請求項１】
略筒形状の絶縁容器の内部に酸化亜鉛素子を収容し、前記絶縁容器の両端と一対の電極とのうちのいずれか一方にはおねじ部を形成して他方にはめねじ部を形成し、夫々の前記おねじ部を夫々の前記めねじ部に螺合させ、前記絶縁容器の両端を前記電極で閉塞したことを特徴とする避雷器。
【請求項２】
前記絶縁容器の端部の外周面におねじ部を形成し、前記電極にめねじ部を形成したことを特徴とする請求項１に記載の避雷器。
【請求項３】
前記絶縁容器の端部の内周面にめねじ部を形成し、前記電極におねじ部を形成したことを特徴とする請求項１に記載の避雷器。
【請求項４】
前記電極に、導体等の接続用の、凹部およびタップ孔、又は凸部を形成したことを特徴とする請求項１に記載の避雷器。
【請求項５】
前記凸部におねじ部を形成したことを特徴とする請求項４に記載の避雷器。
【発明の詳細な説明】
【０００１】
【発明の属する技術分野】
本発明は、容器と容器の上下の開口部を閉塞する電極（蓋）との結合力を大きくした避雷器に関する。
【０００２】
【従来の技術】
従来の避雷器の構成を、従来例１，２として説明する。従来例１は、図５のように絶縁容器１の内部に酸化亜鉛素子２が積層され、下部電極３およびガスケット４を介して絞り成形することにより下蓋５が取り付けられている。下蓋５には、接地側端子１２が取り付けられている。絶縁容器１の上部にはガスケット６を介してタップ孔７ａを有する線路側端子７が装着され、線路側端子７の下部には上部電極８ａを介してナット９が螺合されている。そして、酸化亜鉛素子２上のバネ受け電極８ｂと上部電極８ａとの間にはバネ１０が設けられており、上部電極８ａとバネ受け電極８ｂとの間は導体１１を介して接続されている。
【０００３】
次に、従来例２を図６に基づいて説明する。従来例１はタップ孔７ａを有する線路側端子７を設けたものであるが、従来例２はおねじ部７ｂを有する線路側端子７を設けたものである。
【０００４】
このほか、絞り成形することにより絶縁容器の下部の開口部に下蓋を取り付けた構成の避雷器として、ギャップレス避雷器がある（例えば、特許文献１参照。）。
【０００５】
【特許文献１】
特開昭６３−２５９０３号公報（第１２頁、第１図−第２図）
【０００６】
【発明が解決しようとする課題】
ところが、前記の下蓋に大きな力が加わる状況下では設置できない。下蓋に大きな力が加わるような場合は、取り付け強度の大きいフランジ部付きの絶縁容器が用いられ、当該フランジ部に下蓋が取りつけられる。
【０００７】
また、絞り成形を行なうための特殊な設備が必要になり、特殊な設備は避雷器に使用するだけであって他に用途が考えられないので、特殊な設備の使用効率が低い。
【０００８】
そこで本発明は、斯かる課題を解決した避雷器を提供することを目的とする。
【０００９】
【課題を解決するための手段】
斯かる目的を達成するための請求項１に係る避雷器の構成は、略筒形状の絶縁容器の内部に酸化亜鉛素子を収容し、前記絶縁容器の両端と一対の電極とのうちのいずれか一方にはおねじ部を形成して他方にはめねじ部を形成し、夫々の前記おねじ部を夫々の前記めねじ部に螺合させ、前記絶縁容器の両端を前記電極で閉塞したことを特徴とする。
【００１０】
斯かる避雷器では、絶縁容器の両端に電極をねじ結合して絶縁容器の両端を閉塞したので、絶縁容器と電極との結合強度が大きい。
【００１１】
請求項２に係る避雷器の構成は、請求項１において、前記絶縁容器の端部の外周面におねじ部を形成し、前記電極にめねじ部を形成したことを特徴とする。
【００１２】
斯かる避雷器では、絶縁容器の両端を電極にねじ込んで絶縁容器と電極とを結合する。
【００１３】
請求項３に係る避雷器の構成は、請求項１において、前記絶縁容器の端部の内周面にめねじ部を形成し、前記電極におねじ部を形成したことを特徴とする。
【００１４】
斯かる避雷器では、電極を絶縁容器の両端にねじ込んで絶縁容器と電極とを結合する。
【００１５】
請求項４に係る避雷器の構成は、請求項１において、前記電極に、導体等の接続用の凹部およびタップ孔、又は凸部を形成したことを特徴とする。
【００１６】
斯かる避雷器では、導体等を凹部に入れ、タップ孔にねじ込んだねじを介して取り付けた金具等により、又は凸部を利用して導体等に結合することにより、避雷器を取り付ける。
【００１７】
請求項５に係る避雷器の構成は、請求項４において、前記凸部におねじ部を形成したことを特徴とする。
【００１８】
斯かる避雷器では、前記凸部のおねじ部をねじ込むことにより、避雷器をコンクリート柱や木柱等に取り付ける。
【００１９】
【発明の実施の形態】
以下、本発明による避雷器の実施の形態を、実施の形態１〜４として説明する。
【００２０】
（ａ）実施の形態１
まず、実施の形態１を図１に示す。無機物あるいは有機物からなる略筒形状の絶縁容器１４の内部に酸化亜鉛素子１５が積層されている。絶縁容器１４の両端の外周面にはおねじ部１４ａ，１４ｂが形成され、外周面が正六角形の円柱に凹部を形成することにより略有底筒形状をなす一対の電極には、その内周面にめねじ部１６ａ，１７ａが形成されている。夫々のおねじ部１４ａ，１４ｂに電極１６，１７のめねじ部１６ａ，１７ａを螺合させると共に接着剤を介在させることにより、絶縁容器１４の両端にＯリング１８，１９を介して電極１６，１７が結合されている。Ｏリングに代えて平ガスケット，液状ガスケットを用いてもよく、あるいは何も介在させないようにしてもよい。
【００２１】
酸化亜鉛素子１５の上には電極板２０が収容され、電極板２０と電極１６との間にはバネ２１が介装されている。電極１６，１７の外部の端面には底面が円弧状の浅い溝（凹部）１６ｂ，１７ｂが形成され、電極１６，１７の外周面であって相互に反対方向に面する位置にはタップ孔１６ｃ，１７ｃが形成されている。溝１６ｂ，１７ｂの内部に円柱ロッド状の導体２２，接地線２３の一部を入れた状態でタップ孔１６ｃ，１７ｃにボルトをねじ込むことにより、図示しない金具を介して導体２２，接地線２３が電極１６，１７に接続されている。
【００２２】
斯かる避雷器は、導体２２と接地線２３との間に設ける絶縁を兼ねた状態で、避雷器を設けたことになり、相間支持形避雷器といわれている。
【００２３】
（ｂ）実施の形態２
次に、実施の形態２を図２に示す。この実施の形態は、実施の形態１の「電極を絶縁容器の外側へねじ込む形式」のものであったの対して、「電極を絶縁容器の内側へねじ込む形式」にして一部を変更したものなので、異なる部分のみを説明する。
【００２４】
絶縁容器１４の両端の外周面に代えて両端の内周面にはめねじ部１４ｃ，１４ｄが形成され、外周面が正六角形の円柱の外周面の一部を加工して中央部が突出した形状の一対の電極１６，１７には、突出した部分の外周面におねじ部１６ｄ，１７ｄが形成されている。そして、おねじ部１６ｄ，１７ｄがめねじ部１４ｃ，１４ｄにねじ込まれている。
【００２５】
電極１６には、半径方向のタップ孔１６ｃに代えて、軸方向のタップ孔１６ｅが形成されている。一方、電極１７には溝１７ｂ・タップ孔１７ｃに代えておねじ部１７ｅが形成されている。
【００２６】
斯かる避雷器は、実施の形態１と比較すると、電極１７のおねじ部１７ｅを図示しないめねじ部にねじ込むことにより、避雷器における電極１７の部分をコンクリート柱等に固定するものであり、この避雷器はピン碍子を兼ねた単線支持形の避雷器を構成している。
【００２７】
その他の構成，作用は実施の形態１と同じなので、説明を省略する。
【００２８】
（ｃ）実施の形態３
次に、実施の形態３を図３に示す。この実施の形態は、実施の形態２の一部を変更したものなので、異なる部分のみを説明する。
【００２９】
図２と図３とを比較すればわかるように、電極１７の下面には、おねじ部１７ｅに代えて木ねじ部１７ｆが設けられている。
【００３０】
斯かる避雷器は、実施の形態２と比較すると、電極１７の木ねじ部１７ｆを木柱等にねじ込むことにより、避雷器における電極１７の部分を木柱等に固定するものであり、この避雷器はピン碍子を兼ねた単線支持形の避雷器を構成している。
【００３１】
その他の構成，作用は実施の形態２と同じなので、説明を省略する。
【００３２】
（ｄ）実施の形態４
最後に、実施の形態４を図４に示す。この実施の形態は、実施の形態３の一部を変更したものなので、異なる部分のみを説明する。
【００３３】
図３と図４とを比較すればわかるように、電極１６には、溝１６ｂ・タップ孔１６ｅに代えて、ロッド状の突出部（凸部）１６ｆが形成されている。また、電極１７には、木ねじ部１７ｆに代えて、ロッド状の突出部（凸部）１７ｇが設けられている。
【００３４】
斯かる避雷器は、電極１６，１７の突出部１６ｆ，突出部１７ｇを利用して、避雷器を色々な部品に固定するものであり、この避雷器はホルダー支持形の避雷器を構成している。
【００３５】
その他の構成，作用は実施の形態３と同じなので説明を省略する。
【００３６】
【発明の効果】
以上の説明からわかるように、請求項１〜３に係る避雷器によれば、絶縁容器の両端と一対の電極とのうちのいずれか一方にはおねじ部を形成し他方にはめねじ部を形成し、夫々の前記おねじ部を夫々の前記めねじ部に螺合させ、前記絶縁容器の両端を前記電極で閉塞したので、絶縁容器と電極との結合強度が大きい。そして、従来のように絞り成形を行なうための特殊な設備が不要となる。
【００３７】
請求項４〜５に係る避雷器によれば、電極に、凹部およびタップ孔、又は凸部を形成し、あるいは凸部におねじ部を形成したので、避雷器をいろいろなものに取りつけることができ、避雷器の適用範囲が大幅に広がった。
【図面の簡単な説明】
【図１】本発明による避雷器の実施の形態１に係り、（ａ）は断面図、（ｂ）は底面図。
【図２】本発明による避雷器の実施の形態２に係り、（ａ）は断面図、（ｂ）は底面図。
【図３】本発明による避雷器の実施の形態３に係り、（ａ）は断面図、（ｂ）は底面図。
【図４】本発明による避雷器の実施の形態４に係り、（ａ）は断面図、（ｂ）は底面図。
【図５】従来例１に係る避雷器を示す断面図。
【図６】従来例２に係る避雷器を示す断面図。
【符号の説明】
１４…絶縁容器
１４ａ，１４ｂ，１６ｄ，１７ｄ，１７ｅ…おねじ部
１４ｃ，１４ｄ，１６ａ，１７ａ…めねじ部
１５…酸化亜鉛素子
１６，１７…電極
１６ｂ，１７ｂ…溝
１６ｃ，１６ｅ，１７ｃ…タップ孔
１６ｆ，１７ｇ…突出部
１７ｆ…木ねじ部
【図１】
2004140205.tif 000003
【図２】
2004140205.tif 000004
【図３】
2004140205.tif 000005
【図４】
2004140205.tif 000006
【図５】
2004140205.tif 000007
【図６】
2004140205.tif 000008